(57)【特許請求の範囲】
【請求項１】
施錠開錠用の施錠開錠手段、固有の錠前コードおよび鍵コードを記憶する錠側記憶手段、錠前コード送信用の錠側送信手段、および鍵コード受信用の錠側受信手段を備え、前記錠側送信手段を介して、前記錠側記憶手段に記憶された錠前コードを送信した後、前記錠側受信手段で受信された鍵コードが前記錠側記憶手段に記憶された鍵コードと一致する場合、前記施錠開錠手段の施錠または開錠を許可する錠前と、
少なくとも一つの錠前の錠側記憶手段に記憶される錠前コードおよび鍵コードを対応付けて記憶する鍵側記憶手段、錠前コード受信用の鍵側受信手段、および鍵コード送信用の鍵側送信手段を備え、前記鍵側受信手段によって受信された錠前コードが前記鍵側記憶手段に記憶された錠前コードと一致する場合、その受信された錠前コードに対応付けられた鍵コードを前記鍵側記憶手段から読み出して前記鍵側送信手段を介して送信する鍵とを備え、
前記錠前は、前記鍵の一部を挿入するための鍵穴を有し、この鍵穴内に、前記錠側送信手段および前記錠側受信手段としてそれぞれ錠側発光素子および錠側受光素子と備え、
前記鍵は、前記鍵穴に挿入される当該鍵の一部に、前記鍵側受信手段および前記鍵側送信手段としてそれぞれ鍵側受光素子および鍵側発光素子を備え、
前記錠前は、前記鍵の一部を前記鍵穴に挿入した状態で、前記鍵側発光素子から直接受光した光と前記鍵穴内で反射させてから受光した光との位相差を計測する計測手段と、予め正規の鍵を用いて前記計測手段によって計測された位相差を記憶する位相差記憶手段とをさらに備え、前記計測手段によって計測された位相差と前記位相差記憶手段に記憶された位相差とを比較することにより、前記鍵の照合を行うことを特徴とする施錠装置。
【請求項２】
前記鍵は少なくとも表面材質がセラミックスであることを特徴とする請求項１記載の施錠装置。
【請求項３】
前記鍵側記憶手段および前記錠側記憶手段は書換自在の半導体メモリであることを特徴とする請求項１または２記載の施錠装置。
【請求項４】
前記鍵側記憶手段の半導体メモリは着脱自在になっていることを特徴とする請求項３記載の施錠装置。
【請求項５】
前記鍵は当該鍵の一部に鍵側電極を備え、前記錠前は自己の鍵穴に前記鍵の一部が挿入された場合に前記鍵側電極と電気的に接続する錠側電極と、この錠側電極を介して前記鍵に給電する給電手段とを備えることを特徴とする請求項１記載の施錠装置。
【発明の詳細な説明】
【技術分野】
【０００１】
本発明は、例えば家屋、自動車、金庫または保管庫などのドアに設置されて使用される施錠装置に関するものである。
【背景技術】
【０００２】
従来、この種の施錠装置が種々提案され市販されている。例えば、特許文献１には、公衆無線通信回線を介してアクセスし得るページャと、ページャからの出力によって錠を施錠または開錠する作動機構とを用い、ページャを呼び出すとともにページャに対して所要のＩＤ情報を伝達することによって作動機構を作動させて錠を施錠することにより、既存のページャの機能をそのまま錠開閉手段として流用するだけで低コストに、リモートコンロトールによるドアの開閉システムを構築することができるようにした錠制御システムなどが記載されている。
【０００３】
特許文献２には、ＩＤ確認のために用いる識別データを頻繁に変更することで識別データの盗聴と複製により保安装置破りを無意味化し、識別データを盗聴から保護することができる識別データ保護方法が記載されている。
【０００４】
特許文献３には、鍵から与える電子コードの確認の結果として与えるべき鎖錠機構内の部材の制御がそのスペースおよびコスト要件に関して有利に配置され、且つ実際の鎖錠機構への変更ができるだけ少ない、新規な電気機械式シリンダー錠が記載されている。
【０００５】
特許文献４には、上記特許文献３などの機械的開錠情報と電子コードによる開錠情報がリンクしていないことによる問題を解決するべく、機械式錠と電気式錠とを相互に時間的にリンクさせ、機械式錠と電気式錠の両方を限られた待ち時間内に開けなければならないようにしたデジタル施錠装置が記載されている。このデジタル施錠装置には、一般的な鍵山形状が一致したときに開錠状態になる機械式錠と、赤外線や電波により、時刻情報とデジタルコードの組合せを判別して開錠状態になる電気式錠とが設けられる。
【０００６】
特許文献５には、イモビライザ機能およびキーレスエントリ機能を統合してキー内に一体化することにより、材料コストの低減、組み付けコストの低減およびメンテナンス労力の低減を実現した車両用リモコン装置が記載されている。
【先行技術文献】
【特許文献】
【０００７】
【特許文献１】特開２０００−３０３７２９号公報
【特許文献２】特許第３２４９５７１号公報
【特許文献３】特開平１１−３１５６５３号公報
【特許文献４】特許第３３９１７８３号公報
【特許文献５】特許第３２５６６６６号公報
【発明の概要】
【発明が解決しようとする課題】
【０００８】
しかしながら、上記従来の技術では、異なる複数の錠前の施錠または開錠を行う場合には、複数の鍵を用いなければならない。例えば、特許文献４では、キーに刻まれた凹凸形状に多数桁の組合せがあり、その一致により開錠判定する機械式錠を有することから、機械式錠毎にキーを製作する必要がある。
【０００９】
本発明は、上記事情に鑑みてなされたものであり、錠前の施錠開錠用のコード（錠前コードおよび鍵コード）を共通化して異なる複数の錠前に割り当てることなく、異なる複数の錠前に個別の施錠開錠用のコードを割り当てたとしても、同じ鍵で、異なる複数の錠前の施錠または開錠を行うことができる施錠装置を提供することを目的とする。
【課題を解決するための手段】
【００１０】
上記課題を解決するための請求項１記載の発明の施錠装置は、施錠開錠用の施錠開錠手段、固有の錠前コードおよび鍵コードを記憶する錠側記憶手段、錠前コード送信用の錠側送信手段、および鍵コード受信用の錠側受信手段を備え、前記錠側送信手段を介して、前記錠側記憶手段に記憶された錠前コードを送信した後、前記錠側受信手段で受信された鍵コードが前記錠側記憶手段に記憶された鍵コードと一致する場合、前記施錠開錠手段の施錠または開錠を許可する錠前と、少なくとも一つの錠前の錠側記憶手段に記憶される錠前コードおよび鍵コードを対応付けて記憶する鍵側記憶手段、錠前コード受信用の鍵側受信手段、および鍵コード送信用の鍵側送信手段を備え、前記鍵側受信手段によって受信された錠前コードが前記鍵側記憶手段に記憶された錠前コードと一致する場合、その受信された錠前コードに対応付けられた鍵コードを前記鍵側記憶手段から読み出して前記鍵側送信手段を介して送信する鍵とを備え、前記錠前は、前記鍵の一部を挿入するための鍵穴を有し、この鍵穴内に、前記錠側送信手段および前記錠側受信手段としてそれぞれ錠側発光素子および錠側受光素子と備え、前記鍵は、前記鍵穴に挿入される当該鍵の一部に、前記鍵側受信手段および前記鍵側送信手段としてそれぞれ鍵側受光素子および鍵側発光素子を備え、前記錠前は、前記鍵の一部を前記鍵穴に挿入した状態で、前記鍵側発光素子から直接受光した光と前記鍵穴内で反射させてから受光した光との位相差を計測する計測手段と、予め正規の鍵を用いて前記計測手段によって計測された位相差を記憶する位相差記憶手段とをさらに備え、前記計測手段によって計測された位相差と前記位相差記憶手段に記憶された位相差とを比較することにより、前記鍵の照合を行うことを特徴とする。
【００１１】
この発明によれば、錠前から送信される錠前コードが鍵側記憶手段に記憶された錠前コードと一致するとともに、鍵から送信される鍵コードが錠側記憶手段に記憶された鍵コードと一致する場合に限り、施錠開錠手段の施錠または開錠が許可されるので、セキュリティを強化することができる。また、他の錠前の錠側記憶手段に、固有の（別の）錠前コードおよび鍵コードを記憶し、これら錠前コードおよび鍵コードを対応付けて同じ鍵の鍵側記憶手段に記憶することにより、その同じ鍵で、異なる複数の錠前の施錠または開錠を行うことができる。さらに、鍵の一部を錠前の鍵穴に挿入した状態で、鍵と錠前との間で鍵コード等が光信号で送受信されるので、鍵コード等の秘匿性を強化することができる。また、光を用いて送受信するので、電気を用いる構成に比べ、ノイズを発生し難くなり、通信の信頼性を向上させることができる。さらに、鍵側発光素子からの光を直接受光する場合の光路と鍵穴内で反射させてから受光する場合の光路との組合せを違えることにより、その物理的な組合せを鍵の照合に利用することができるので、セキュリティをより一層強化することができる。
【００１２】
請求項２記載の発明は、請求項１記載の施錠装置において、前記鍵は少なくとも表面材質がセラミックスであることを特徴とする。この発明によれば、機械的強度に優れ、錆の発生や腐食の問題がないほか、鉄や銅などの金属に比べて切削加工が容易でないので、鍵の形状的な複製が困難となる利点がある。また、鍵の表面が絶縁体となり、その表面に電気回路を直接形成することが可能となる。
【００１３】
請求項３記載の発明は、請求項１または２記載の施錠装置において、前記鍵側記憶手段および前記錠側記憶手段は書換自在の半導体メモリであることを特徴とする。この発明によれば、鍵を紛失した場合、新しい鍵のみを用意し、この鍵の鍵側記憶手段に従前の錠前コードと新たな鍵コードとを記憶し、錠前の錠側記憶手段に記憶されている鍵コードを上記新たな鍵コードに書き換えることにより、従前の錠前を新しい錠前として使用することができる。また、別の錠前を後付けで設けたとしても、その別の錠前の錠側記憶手段に固有の錠前コードおよび鍵コードを記憶し、これら錠前コードおよび鍵コードを対応付けて手持ちの鍵の鍵側記憶手段に記憶することにより、手持ちの同じ鍵で、後付けの錠前の施錠または開錠を行うことができる。
【００１４】
請求項４記載の発明は、請求項３記載の施錠装置において、前記鍵側記憶手段の半導体メモリは着脱自在になっていることを特徴とする。この発明によれば、鍵側記憶手段の記憶内容をパソコンなどを用いて容易に書き換えることができる。また、鍵側記憶手段の半導体メモリを鍵から外して別管理とした場合、鍵を万一紛失しても、その鍵では錠前の開錠または施錠を行えないので、セキュリティに問題が発生することがない。
【００１５】
請求項５記載の発明は、請求項１記載の施錠装置において、前記鍵は当該鍵の一部に鍵側電極を備え、前記錠前は自己の鍵穴に前記鍵の一部が挿入された場合に前記鍵側電極と電気的に接続する錠側電極と、この錠側電極を介して前記鍵に給電する給電手段とを備えることを特徴とする。この発明によれば、鍵に電池を設ける必要がないので、鍵の小型化が可能となる。
【発明の効果】
【００１６】
本発明によれば、錠前の施錠開錠用のコード（錠前コードおよび鍵コード）を共通化して異なる複数の錠前に割り当てることなく、異なる複数の錠前に個別の施錠開錠用のコードを割り当てたとしても、同じ鍵で、異なる複数の錠前の施錠または開錠を行うことができる。
【図面の簡単な説明】
【００１７】
【図１】本発明による実施形態２の施錠装置における鍵の機構的照合の説明図である。
【図２】参考例１の施錠装置のブロック図である。
【図３】同施錠装置の斜視図である。
【図４】同施錠装置における鍵と錠前との電気接続の説明図である。
【図５】同施錠装置における鍵と錠前との光接続の説明図である。
【図６】同施錠装置の動作フロー図である。
【図７】参考例２の施錠装置における鍵の機構的照合の説明図である。
【図８】本発明による実施形態１の施錠装置における鍵に使用されるメモリカードの説明図である。
【図９】本発明による実施形態３の施錠装置における鍵と錠前との電気接続の説明図である。
【発明を実施するための形態】
【００１８】
（参考例１）
図２は参考例１の施錠装置のブロック図、図３は同施錠装置の斜視図、図４は同施錠装置における鍵と錠前との電気接続の説明図、図５は同施錠装置における鍵と錠前との光接続の説明図、図６は同施錠装置の動作フロー図である。
【００１９】
参考例１の施錠装置は、例えば家屋、自動車、金庫または保管庫などのドアに設置されて使用されるものであり、図３に示すように、鍵１と、錠前２とにより構成されている。
【００２０】
鍵１は、図２，図４，図５に示すように、鍵本体１０と、カバー１３とを備えるとともに、一対の端子Ｔ１０と、複数（図では８）の端子Ｔ１１と、メモリカード１４と、受光素子１５と、発光素子１６と、マイコン１７とを鍵本体１０に備えている。そして、受光素子１５、発光素子１６およびマイコン１７は、エポキシ樹脂などの封止樹脂により保護されている。
【００２１】
鍵本体１０は、図５に示すように、平角状の摘み部１１と、この一の側壁の一部から延設される平角状の挿入部１２とを一体に有する形状に形成されている。そして、摘み部１１の一の面側には、一の面側とこれと直交し挿入部１２の無い他の面側とに開口する凹所１１０が形成されている。一方、挿入部１２には、凹所１１０と連通し挿入部１２の先端に伸びるＨ字状の溝１２０が一の面側に形成され、この裏面側に、摘み部１１側から挿入部１２の先端に伸びるＩ字状の溝１２１が形成されている。これらの溝１２０，１２１により、挿入部１２は凹凸を有する形状になっている。
【００２２】
ここで、鍵本体１０の少なくとも表面材質がセラミックスとなっている。参考例１では、アルミナ・ジルコニアなどのセラミックスを主成分とした粉末樹脂材料を用いて、凹凸部を持つ鍵本体１０を一体で粉末射出成形して形成し、脱脂および焼結をして基板状にされる。続いて、鍵本体１０の表面に、レーザによる薄膜除去法などのＭＩＤ（Ｍｏｌｄｅｄ  Ｉｎｔｅｒｃｏｎｅｃｔ  Ｄｅｖｉｃｅ）法を用いて、電気回路が直接形成される。
【００２３】
カバー１３は、例えば樹脂により鍵本体１０の凹所１１０および溝１２０の一部を閉塞する平板状に形成されている。また、カバー１３は、後述の受光素子１５、発光素子１６の近傍部分が光の送受信を妨げない透光性になっている。
【００２４】
一対の端子Ｔ１０は、図４に示すように、挿入部１２先端の溝１２０に配置されている。複数の端子Ｔ１１は、摘み部１１の凹所１１０における上記他の面側と対向する側に配列されている。
【００２５】
メモリカード１４は、少なくとも一つの錠前２の後述するメモリカード２４に記憶される錠前コードおよび鍵コードを対応付けて記憶するものであり、例えばフラッシュメモリなどの読み書き可能な不揮発性半導体メモリにより構成され、鍵本体１０の凹所１１０内に設けられて複数の端子Ｔ１１と接続される。
【００２６】
受光素子１５は、錠前２からの錠前コードを光信号で受信するためのものであり、挿入部１２の溝１２０内における溝１２０の胴部１２０ａと一方の端子Ｔ１０との間に配置されている。
【００２７】
発光素子１６は、錠前２に鍵コードを光信号で送信するためのものであり、挿入部１２の溝１２０内における溝１２０の胴部１２０ａと他方の端子Ｔ１０との間に配置されている。
【００２８】
マイコン１７は、記憶素子および演算素子などにより構成され、図２，図４に示すように、凹所１１０および溝１２０に配線された複数のリードを介して、一対の端子Ｔ１０、メモリカード１４、受光素子１５および発光素子１６と電気的に接続されており、錠前２に施錠または開錠をさせるための処理を実行する。
【００２９】
ここで、参考例１の鍵１は、挿入部１２側が錠前２の鍵穴に挿入されると、一対の端子Ｔ１０が錠前２と電気的に接続し、その一対の端子Ｔ１０を介して錠前２から電力の供給を受けて動作するようになっている。このため、マイコン１７は、挿入部１２の鍵穴への挿入時に動作し、受光素子１５によって錠前コードが受信されると、その錠前コードがメモリカード１４に記憶された錠前コードと一致するかどうかを照合し、一致する場合には、その受信された錠前コードに対応付けられた鍵コードをメモリカード１４から読み出して受光素子１５を介して送信する処理を行うように構成される。
【００３０】
錠前２は、図２〜図５に示すように、当該錠前２の鍵穴２０に挿入した正規の鍵１の回動に応じて、ドア３に対して施錠または開錠を行うものであり、施錠開錠部２１と、一対の端子Ｔ２０と、抵抗測定器２２と、電源２３と、メモリカード２４と、発光素子２５と、受光素子２６と、マイコン２７とを備えている。
【００３１】
施錠開錠部２１は、一般的にシリンダー錠と呼ばれているものであり、固定された外筒と中心に鍵穴２０のある回転する内筒の二重構造になっている。図３の例では、施錠開錠部２１は、ドア３の側部に埋設された角状で金属製の進退部２１０と、この進退動のロックをするための図示しない電動式の回動ストッパとを備え、この回動ストッパのロック解除時に、錠前２の鍵穴２０に挿入した鍵１を回動することができるようになり、それを回動することにより、進退部２１０が図示しない枠部の穴内に進出して施錠を行うか、枠部の穴から退避して開錠を行う構成になっている。回動ストッパのロック解除は、後述する鍵コードの照合で適合した場合に、タンブラピンを外すことにより行われ、タンブラピンが外れると、内筒が回動自在となる。
【００３２】
一対の端子Ｔ２０は、錠前２の鍵穴２０内に設けられ、鍵１の挿入部１２が鍵穴２０内に挿入された状態において、図４に示すように、その鍵１の一対の端子Ｔ１０と電気的に接続するようになっている。
【００３３】
抵抗測定器２２は、鍵１の挿入部１２が錠前２の鍵穴２０内に挿入された状態において、一対の接触子Ｔ２２を介して、鍵１の挿入部１２における異なる２点間の絶縁抵抗の値を測定するものである。このような絶縁抵抗の値は、一対の接触子Ｔ２２間の離隔誤差や、鍵１の挿入部１２を構成する材料などが変われば変化するので、鍵１の機構的な照合に利用可能となる。
【００３４】
電源２３は、電池または商用電源を整流・平滑などして直流電力を得る直流電源などであり、図２に示すように、錠前２の各部に電力を供給するほか、鍵１の挿入部１２が錠前２の鍵穴２０内に挿入された状態において、一対の端子Ｔ２０および一対の端子Ｔ１０を介して、鍵１に電力を供給するものである。なお、電源２３は、電池または直流電源に限らず、太陽電池パネルとバッテリ回路とを備える構成でもよい。
【００３５】
メモリカード２４は、固有の錠前コードおよび鍵コードを記憶するとともに、それら錠前コードおよび鍵コードをメモリカード１４に記憶した正規の鍵１の挿入部１２が、錠前２の鍵穴２０内に挿入された状態で、抵抗測定器２２によって予め測定された抵抗値を記憶するものであり、例えばフラッシュメモリなどの読み書き可能な不揮発性半導体メモリにより構成される。なお、図３では、ドア３の側部にメモリカード２４が（着脱自在に）埋設されるようになっている。
【００３６】
発光素子２５は、メモリカード２４に記憶された錠前コードを光信号で送信するためのものであり、鍵１の挿入部１２が錠前２の鍵穴２０内に挿入された状態において、図５に示すように、その鍵１の受光素子１５と対向配置されるようになっている。
【００３７】
受光素子２６は、鍵１からの鍵コードを光信号で受信するためのものであり、鍵１の挿入部１２が錠前２の鍵穴２０内に挿入された状態において、その鍵１の発光素子１６と対向配置されるようになっている。
【００３８】
マイコン２７は、記憶素子および演算素子などにより構成され、図２，図４に示すように、一対の端子Ｔ２０、抵抗測定器２２、メモリカード２４、発光素子２５および受光素子２６と電気的に接続されており、施錠または開錠などをするための処理を実行する。
【００３９】
例えば、抵抗測定器２２から得られた抵抗値が、メモリカード２４に記憶された抵抗値を含む所定範囲内に入れば、メモリカード２４に記憶された錠前コードを読み出して発光素子２５を介して送信する処理が実行される。
【００４０】
また、錠前コードを送信した後、受光素子２６で受信された鍵コードがメモリカード２４に記憶された鍵コードと一致するかどうかを照合し、一致する場合、施錠開錠部２１の回動ストッパのロックを解除する処理が実行される。
【００４１】
さらに、抵抗測定器２２から得られた抵抗値が、メモリカード２４に記憶された抵抗値を含む所定範囲内に入らず、また受光素子２６で受信された鍵コードがメモリカード２４に記憶された鍵コードと一致しなければ、図示しない警報手段を介して警報を出す処理が実行される。
【００４２】
ここで、鍵１の鍵本体１０およびこの挿入部１２に対応する錠前２の鍵穴２０の部分について補説する。鍵本体１０は、上記の如く射出成形法にて作製されるが、鍵穴２０の部分も射出成形法にて作製される。そして、その表面に立体的なメタライズ回路が形成され、ＭＩＤと呼ばれる立体成形回路部品が実装される。ＭＩＤには一回成形法、二回成形法などの各種公知の方式があるが、特に基板に金属薄膜を蒸着・スパッタリングしたのち、レーザを用いて薄膜除去し回路形成する一回成形法が参考例１の構造に適している。基板材は、セラミック基板や金属体に絶縁層を被覆した基板などでもよく、フィラーなどを含有する樹脂などでもよい。
【００４３】
錠前コードおよび鍵コードについて補説すると、これらの各々は、製造時に付与され利用者が変更することができない固有のオリジナルコードと、利用者によって設定登録される暗証コードとにより構成される。鍵コードを構成するオリジナルコードは、鍵１のマイコン１７内の記憶素子（不揮発性半導体メモリ）に記憶されており、例えば施工時に、その暗証コードが利用者によって設定登録されると、マイコン１７内の記憶素子から読み出されたオリジナルコードを付加して鍵コードが作成され、メモリカード１４，２４に記憶される。錠前コードを構成するオリジナルコードは、錠前２のマイコン２７内の記憶素子（不揮発性半導体メモリ）に記憶されており、例えば施工時に、その暗証コードが利用者によって設定登録されると、マイコン２７内の記憶素子から読み出されたオリジナルコードを付加して錠前コードが作成され、メモリカード２４，１４に記憶される。上記固有のオリジナルコードを記憶すれば、錠前コードおよび鍵コードの各々を必ず固有のコードとすることができるほか、商品履歴を残すことができる。また、ユキビタスに準拠可能となっている。さらに、メモリカード１４，２４には、同一規格で大量に製作されるものが使用される。これにより、単価を下げることができる。
【００４４】
なお、錠前２のマイコン２７内の記憶素子に、錠前コードおよび鍵コードの各々を構成する固有のオリジナルコードを記憶し、これらの両オリジナルコードからそれぞれ得られる錠前コードおよび鍵コードをメモリカード１４，２４に記憶するようにしてもよい。この場合、異なる複数の錠前の各々に対して、固有の錠前コードを割り当てることができるほか、固有の鍵コードを割り当てることができる。
【００４５】
次に参考例１の施錠装置の動作について説明する。鍵１の挿入部１２を錠前２の鍵穴２０に挿入すると（Ｓ１）、鍵１の各端子Ｔ１０と錠前２の各端子Ｔ２０とが電気的に接続し、鍵１が錠前２から電力の供給を受けて動作する。
【００４６】
一方、錠前２において、一対の接触子Ｔ２２により、鍵１の挿入部１２における２点間の絶縁抵抗の値が測定される。そして、測定された抵抗値が、メモリカード２４に記憶された抵抗値を含む所定範囲内に入らなければ（Ｓ２でＮＯ）、警報が出される（Ｓ３）。これに対し、所定範囲内に入れば（Ｓ２でＹＥＳ）、メモリカード２４に記憶された錠前コードが読み出されて発光素子２５を介して送信される（Ｓ４）。
【００４７】
鍵１において、受光素子１５で上記錠前コードが受信されると（Ｓ５）、その錠前コードがメモリカード１４に記憶された錠前コードと一致するかどうかの照合が行われる（Ｓ６）。そして、一致すれば、錠前コードに対応付けられた鍵コードがメモリカード１４から読み出されて受光素子１５を介して送信される（Ｓ７）。
【００４８】
錠前２において、受光素子２６で上記鍵コードが受信されると（Ｓ８）、その鍵コードがメモリカード２４に記憶された鍵コードと一致するかどうかの照合が行われる（Ｓ９）。そして、一致しなければ（Ｓ９でＮＯ）、警報が出され（Ｓ３）、一致すれば（Ｓ９でＹＥＳ）、施錠開錠部２１の回動ストッパのロックが解除される（Ｓ１０）。これにより、錠前２の鍵穴２０に挿入した鍵１を回動することができるようになり、それを回動することにより、進退部２１０を枠部の穴内に進出させて施錠を行うか、枠部の穴から退避させて開錠を行うことができる。この後、または錠前２の鍵穴２０から鍵１を抜いた後、施錠開錠部２１の回動ストッパのロックがかかる。
【００４９】
参考例１によれば、錠前２から送信される錠前コードがメモリカード１４に記憶された錠前コードと一致するとともに、鍵１から送信される鍵コードがメモリカード２４に記憶された鍵コードと一致する場合に限り、施錠開錠部２１の施錠または開錠が許可されるので、セキュリティを強化することができる。また、他の錠前２のメモリカード２４に、固有の錠前コードおよび鍵コードを記憶し、これら錠前コードおよび鍵コードを対応付けて同じ鍵１のメモリカード１４に記憶することにより、その同じ鍵１で、異なる複数の錠前２の施錠または開錠を行うことができる。
【００５０】
また、鍵１の挿入部１２を錠前２の鍵穴２０に挿入した状態で、鍵１と錠前２との間で鍵コード等が光信号で送受信されるので、鍵コード等の秘匿性を強化することができる。
【００５１】
また、鍵１は少なくとも表面材質がセラミックスであるので、機械的強度に優れ、錆の発生や腐食の問題がないほか、鉄や銅などの金属に比べて切削加工が容易でないので、鍵の形状的な複製が困難となる利点がある。また、鍵１の表面が絶縁体となり、その表面に電気回路を直接形成することが可能となる。鍵１の製法は、粉末射出成形後、焼結したセラミックやアルミを用いてもよく、アルミを用いた場合には、アルマイト処理を行い、表面側の部分をセラミックの材質で形成してもよい。
【００５２】
また、メモリカード１４，２４が書換自在の半導体メモリであるので、鍵１を紛失した場合、新しい鍵１のみを用意し、この鍵１のメモリカード１４に従前の錠前コードと新たな鍵コードとを記憶し、錠前２のメモリカード２４に記憶されている鍵コードを上記新たな鍵コードに書き換えることにより、従前の錠前２を新しい錠前として使用することができる。また、別の錠前２を後付けで設けたとしても、その別の錠前２のメモリカード２４に固有の錠前コードおよび鍵コードを記憶し、これら錠前コードおよび鍵コードを対応付けて手持ちの鍵１のメモリカード１４に記憶することにより、手持ちの同じ鍵１で、後付けの錠前２の施錠または開錠を行うことができる。
【００５３】
さらに、鍵１が、挿入部１２に一対の端子Ｔ１０を備える一方、錠前２が、自己の鍵穴２０に鍵１の挿入部１２が挿入された場合に一対の端子Ｔ１０と電気的に接続する一対の端子Ｔ２０と、これらの端子Ｔ２０介して鍵１に給電する電源２３とを備えるので、鍵１に電池を設ける必要がなく、鍵１の小型化が可能となる。
【００５４】
（参考例２）
図７は参考例２の施錠装置における鍵の機構的照合の説明図である。
【００５５】
参考例２の施錠装置は、参考例１との相違点として、鍵１の挿入部１２における異なる２点間の絶縁抵抗の値ではなく、材料などで異なる鍵１の弾性変化量（率）を調べることにより、鍵１を機構的に照合することを特徴とする。
【００５６】
参考例２では、抵抗測定器２２に代えて、図７に示すように、荷重付加ピン２８１により鍵１の挿入部１２に一の面側から荷重を加えるとともに、その裏面側を２つの支持ピン２８２で支持する荷重部と、この荷重部で荷重を加えたときの鍵１の弾性変形量を、２つの支持ピン２８２間に位置する変位量検知電極ピン２８３で計測する計測部とが具備される。そして、鍵１の挿入部１２を錠前２の鍵穴２０に挿入したとき、挿入部１２と変位量検知電極ピン２８３との隙間が３５〜４０μｍになるように設定される。また、変位量検知電極ピンとしては、接触非接触を問わず、各種距離計を用いることが可能である。
【００５７】
次に参考例２の施錠装置の動作について説明する。鍵１の挿入部１２を錠前２の鍵穴２０に挿入すると、マイコン２７は、鍵１の各端子Ｔ１０と錠前２の各端子Ｔ２０とが電気的に接続することにより、鍵１が鍵穴２０に挿入されたことを確認し、続いて荷重部を介して、荷重付加ピン２８１により鍵１の挿入部１２に一定圧の荷重を加える。そして、マイコン２７は、計測部から、変位量検知電極ピン２８３が挿入部１２の導電部に電気的に接続しない計測結果を受けると、鍵１が機構的に正規の鍵であると判別する一方、電気的に接続した計測結果を受けると、鍵１が機構的に正規の鍵でないと判別する。この場合、変位量検知電極ピン２８３が押されるので、その押される方向に先述の警報手段の発報スイッチを設ければ、簡単に警報（例えば警報音）を出すことができる。なお、その他の動作は、参考例１と同様である。
【００５８】
このように、鍵１に荷重を加える荷重部と、この荷重部で荷重を加えたときの鍵１の弾性変形量を計測する計測部とを錠前２に設けることにより、他の物理量（電気抵抗等）を測定する場合に比べ、鍵の判別を容易に行うことができる。なお、変位センサなどを用いても同様の判別が可能となる。
【００５９】
（実施形態１）
図８は本発明による実施形態１の施錠装置における鍵に使用されるメモリカードの説明図である。
【００６０】
実施形態１の施錠装置は、図８に示すように、メモリカード１４が、例えばＳＤカードにより構成され、鍵本体１０の凹所１１０に着脱自在になっていることを特徴とする。凹所１１０に装着されたメモリカード１４は、図８の複数の突起の所にＭＩＤ法で形成された複数の端子Ｔ１１と電気的に接続されることにより（図４参照）、マイコン１７と電気的に接続される。
【００６１】
これにより、メモリカード１４の記憶内容をパソコンなどを用いて容易に書き換えることができるほか、携帯電話などにも兼用可能となり、別管理が可能となる。例えば、メモリカード１４を鍵１から外して別管理とした場合、鍵１を万一紛失しても、その鍵１では錠前２の開錠または施錠を行えないので、セキュリティに問題が発生することがない。
【００６２】
（実施形態２）
図１は本発明による実施形態２の施錠装置における鍵の機構的照合の説明図である。ただし、図１（ｂ），（ｃ）は、図１（ａ）のＡ−Ａ線に対応する箇所の断面図である。
【００６３】
実施形態２の施錠装置は、図１に示すように、錠前２が、鍵１の挿入部１２を鍵穴２０に挿入した状態で、発光素子１６から直接受光した光と鍵穴２０内で反射させてから受光した光との位相差を計測する計測部（図示せず）を備え、予め正規の鍵１を用いて上記計測部によって計測された位相差をメモリカード２４に記憶し、実使用時に計測部によって計測された位相差とメモリカード２４に記憶された位相差とを比較することにより、鍵１の照合を行うことを特徴とする。
【００６４】
そして、マイコン２７は、計測部によって計測された位相差が、メモリカード２４に記憶された位相差を含む所定範囲内に入れば、鍵１を正規の鍵であると判別する一方、所定範囲内に入らなければ、鍵１を正規の鍵でないと判別する。位相差は、デジタル的ないしアナログ的に認識可能である。なお、図１においてＢは封止樹脂である。
【００６５】
このように、発光素子１６からの光を直接受光する場合の光路Ｌ１と鍵穴２０内で反射させてから受光する場合の光路（屈折光路）Ｌ２との組合せを違えることにより、その物理的な組合せを鍵１の照合に利用することができるので、セキュリティをより一層強化することができる。
【００６６】
また、受光素子２６は、光路Ｌ１用の光受光用と光路Ｌ２用の光受光用の２つの受光素子を設けることが望ましいが、発光素子１６は１個でも良いので、受光素子および発光素子を複数組み用いることなく、同様の効果を得ることが可能である。
【００６７】
（実施形態３）
図９は本発明による実施形態３の施錠装置における鍵と錠前との電気接続の説明図である。
【００６８】
実施形態３の施錠装置は、図９に示すように、一対の端子Ｔ１０および一対の端子Ｔ２０の配置位置が実施形態２と相違している。このような構造でも、錠前２の電源２３から鍵１に電力を供給することができるので、鍵１に電池を設ける必要がなく、鍵１の小型化が可能となる。また、一対の端子Ｔ２０を弾性率の低い導電性エラストマ等で構成することにより、確実な給電が可能となる。
【符号の説明】
【００６９】
１  鍵
１４  メモリカード
１５  受光素子
１６  発光素子
１７  マイコン
２  錠前
２１  施錠開錠部
２３  電源
２４  メモリカード
２５  発光素子
２６  受光素子
２７  マイコン
【図１】
0004894892.tif 000002
【図２】
0004894892.tif 000003
【図３】
0004894892.tif 000004
【図４】
0004894892.tif 000005
【図５】
0004894892.tif 000006
【図６】
0004894892.tif 000007
【図７】
0004894892.tif 000008
【図８】
0004894892.tif 000009
【図９】
0004894892.tif 000010